(57)【要約】  本発明は、プラグイン接続を形成するように相手側コネクタ部に接続することが可能であるプラグインコネクタ部に関し、前記プラグインコネクタ部は、ハウジングと、ハウジングとは別個に具体化された弾性変形可能なロック構成要素と、を備え、ロック構成要素は、プラグイン接続が形成されるときに相手側コネクタ部のロック輪郭と可逆的にロックするように設計される。ロック構成要素は、プラグインコネクタ部のハウジング内に少なくとも部分的に配置され、プラグイン方向に平行なプラグインコネクタ部の長手方向軸の周りに湾曲したセクションを有し、ロック構成要素は、少なくとも１つのロック領域と、少なくとも１つのロック解除領域と、を有する。ロック構成要素は、閉位置にあるときに予圧が与えられ、ロック解除領域に対する径方向内向きに方向づけられた力の作用により、ロック領域において径方向外向きに開位置へ弾性的に拡張されることが可能である。
2021501970.tif 000002
【特許請求の範囲】
【請求項１】
プラグイン接続を形成するように相手側コネクタ部（４００）に接続することが可能であるプラグインコネクタ部（１００；３００）であって、
前記プラグインコネクタ部は、ハウジング（１１０；３１０）と、前記ハウジング（１１０；３１０）とは別個に具体化された弾性変形可能なロック構成要素（１２０；３２０）と、を備え、前記ロック構成要素（１２０；３２０）は、前記プラグイン接続が形成されるときに前記相手側コネクタ部（４００）のロック輪郭（４２０）と可逆的にロックするように設計されるプラグインコネクタ部（１００；３００）において、
前記ロック構成要素（１２０；３２０）は、前記プラグインコネクタ部（１００；３００）の前記ハウジング（１１０；３１０）内に少なくとも部分的に配置され、プラグイン方向（Ｓ）に平行な前記プラグインコネクタ部（１００；３００）の長手方向軸の周りに湾曲したセクションを有し、前記ロック構成要素（１２０；３２０）は、少なくとも１つのロック領域（１２２；３２２）と、少なくとも１つのロック解除領域（１２４；３２４）と、を有し、前記ロック構成要素（１２０；３２０）は、閉位置にあるときに予圧が与えられ、前記ロック解除領域（１２４；３２４）に対する径方向内向きに方向づけられた力の作用により、前記ロック領域（１２２；３２２）において径方向外向きに開位置へ弾性的に拡張されることが可能であることを特徴とするプラグインコネクタ部（１００；３００）。
【請求項２】
前記ロック構成要素（１２０；３２０）は、前記プラグイン接続が形成されるときかつ係合する前に、前記相手側コネクタ部（４００）の前記ロック輪郭（４２０）によって、前記ロック領域（１２２；３２２）において前記開位置へ弾性的に拡張するように設計されることを特徴とする請求項１に記載のプラグインコネクタ部（１００；３００）。
【請求項３】
前記ロック構成要素（１２０；３２０）は、前記ロック領域（１２２；３２２）に傾斜外形（１２６）を有することを特徴とする請求項２に記載のプラグインコネクタ部（１００；３００）。
【請求項４】
前記予圧位置にあるとき、前記ロック構成要素（１２０；３２０）は、前記ロック領域（１２２；３２２）よりも前記ロック解除領域（１２４、３２４）においてより大きな曲率を有することを特徴とする請求項１から３のいずれか１項に記載のプラグインコネクタ部（１００；３００）。
【請求項５】
前記開位置にあるとき、前記ロック領域（１２２；３２２）における前記ロック構成要素（１２０；３２０）の前記曲率は、前記閉位置と比較して大きくなり、前記ロック解除領域（１２４；３２４）における前記ロック構成要素（１２０；３２０）の前記曲率は、前記閉位置と比較して小さくなることを特徴とする請求項４に記載のプラグインコネクタ部（１００；３００）。
【請求項６】
前記ロック構成要素（１２０；３２０）は、少なくとも本質的に環状であることを特徴とする請求項１から５のいずれか１項に記載のプラグインコネクタ部（１００；３００）。
【請求項７】
前記ロック構成要素（１２０；３２０）は、少なくとも本質的に楕円形であり、１つの前記ロック解除領域（１２４；３２４）が、前記ロック構成要素（１２０；３２０）の長径の頂点にそれぞれ配置され、１つの前記ロック領域（１２２；３２２）が、前記ロック構成要素（１２０；３２０）の短径の頂点にそれぞれ配置されることを特徴とする請求項６に記載のプラグインコネクタ部（１００；３００）。
【請求項８】
前記プラグインコネクタ部（１００）の前記ハウジング（１１０）は、少なくとも本質的に、径方向において前記ロック構成要素（１２０）を囲み、前記プラグインコネクタ部の前記ハウジングは、前記ロック構成要素（１２０）の前記ロック解除領域（１２４）の近くにハウジング開口部（１１４）を有し、これにより、前記ロック解除領域（１２４）に径方向内向きの力を加えるための工具（Ｗ）の挿入が可能になることを特徴とする請求項１から７のいずれか１項に記載のプラグインコネクタ部（１００）。
【請求項９】
前記プラグインコネクタ部（３００）の前記ハウジング（３１０）は、前記ロック解除領域（３２４）の近くで前記ロック構成要素（３２０）を不完全に囲み、工具を使わずに手で前記ロック解除領域（３２４）に径方向内向きの力を加えることが可能であることを特徴とする請求項１から８のいずれか１項に記載のプラグインコネクタ部（３００）。
【請求項１０】
前記相手側コネクタ部（４００）と係合する領域（１１２）において、前記プラグインコネクタ部（１００；３００）の前記ハウジング（１１０；３１０）は、前記プラグイン方向（Ｓ）に平行な長手方向軸の周りに少なくとも本質的に回転対称の形状を有することを特徴とする請求項１から９のいずれか１項に記載のプラグインコネクタ部（１００；３００）。
【請求項１１】
前記プラグインコネクタ部（１００；３００）の前記ハウジング（１１０；３１０）と前記ロック構成要素（１２０；３２０）とは、互いに異なる材料を含むことを特徴とする請求項１から１０のいずれか１項に記載のプラグインコネクタ部（１００；３００）。
【請求項１２】
請求項１から１１のいずれか１項に記載のプラグインコネクタ部（１００；３００）と、前記プラグインコネクタ部（１００；３００）と可逆的に接続してプラグイン接続を形成可能である相手側コネクタ部（４００）と、を備えることを特徴とするプラグインコネクタ（５００；５００’）。
【請求項１３】
前記相手側コネクタ部（４００）の前記ロック輪郭（４２０）は、環状溝を備えることを特徴とする請求項１２に記載のプラグインコネクタ（５００；５００’）。
【請求項１４】
前記相手側コネクタ部（４００）の前記ロック輪郭（４２０）は、傾斜領域（４２２）を有することを特徴とする請求項１２または１３に記載のプラグインコネクタ（５００；５００’）。
【請求項１５】
前記プラグインコネクタ部（１００；３００）の前記ハウジング（１１０；３１０）と係合する領域（４１０）において、前記相手側コネクタ部（４００）は、前記プラグイン方向（Ｓ）に平行な長手方向軸の周りに少なくとも本質的に回転対称の形状を有することを特徴とする請求項１２から１４のいずれか１項に記載のプラグインコネクタ。
【発明の詳細な説明】
【技術分野】
【０００１】
本発明は、請求項１のプリアンブルに記載の、プラグイン接続を形成するように相手側コネクタ部に接続することが可能であるプラグインコネクタ部に関する。
【背景技術】
【０００２】
このようなプラグインコネクタ部は、ライン端を、特に電線を接続するために使用される。
【０００３】
このようなプラグインコネクタ部は、ハウジングと、弾性変形可能なロック構成要素であって、ハウジングとは別個に具体化され、プラグイン接続が形成されるときに相手側コネクタ部のロック輪郭と可逆的に係合するように設計された、ロック構成要素と、を備える。
【先行技術文献】
【特許文献】
【０００４】
【特許文献１】独国特許出願公開第２３２３１８０号明細書
【発明の概要】
【発明が解決しようとする課題】
【０００５】
このタイプの従来のプラグインコネクタ部においては、特許文献１に記載されているように、プラグインコネクタ部と相手側コネクタ部とは、それらのハウジングの内側に異なる環状溝の部分を有し、これらの部分は、プラグイン接続が形成されると互いに整列し、したがって連続した環状溝を形成する。次に、プラグイン接続を相互ロックするために、スナップリングが環状溝に挿入される。これらのプラグインコネクタ部においては、スナップリングがプラグインコネクタ部のハウジングとは別個に設けられるという事実は、不利益をもたらす可能性がある。これは、これらのプラグインコネクタ部の取り扱いをより困難にすることがある。さらに、スナップリングの紛失のリスクが高まる。また、スナップリングはハウジングの外側でプラグインコネクタ部を取り囲み、スナップリングが保護なしで風化および腐食にさらされるため、プラグインコネクタ部の耐用年数が短くなる可能性がある。
【０００６】
他のプラグインコネクタ部は、スナップリングの代わりに、相手側コネクタ部のプラスチックハウジング内の対応するラッチ受容部と分離可能に係合する１つ以上のラッチ要素が形成されたプラスチックハウジングを有することにより、前述の問題を軽減する。しかしながら、この方法で必要とされるラッチ要素の変形は、ハウジング材料に高い機械的負荷を与え、ハウジング材料はまた、しばしば電気的および環境的要件も満たさなければならない。ハウジング材料に関するこれらの要件は、同時に満たすことはしばしば非常に困難である。
【０００７】
したがって、前述の問題を軽減または回避するプラグインコネクタ部が必要とされる。
【課題を解決するための手段】
【０００８】
この目的は、請求項１の特徴を有する物品によって達成される。
【０００９】
該請求項によれば、ロック構成要素は、プラグインコネクタ部のハウジング内に少なくとも部分的に配置され、プラグイン方向に平行なプラグインコネクタ部の長手方向軸の周りに湾曲したセクションを有し、少なくとも１つのロック領域と、少なくとも１つのロック解除領域と、を有する。ロック構成要素は、閉位置にあるときに予圧が与えられ、ロック解除領域に対する径方向内向きの力の作用により、ロック領域において径方向外向きの方向に開位置へ弾性的に拡張されることが可能である。
【００１０】
ロック構成要素は、プラグイン接続が形成されるときかつ係合する前に、相手側コネクタ部のロック輪郭によって、ロック領域において開位置へ弾性的に拡張するように設計されてもよい。この場合、ロック構成要素は、ロック領域に傾斜外形を有してもよい。
【００１１】
予圧位置にあるとき、ロック構成要素は、ロック領域よりもロック解除領域においてより大きな曲率を有してもよい。開位置にあるとき、ロック領域におけるロック構成要素の曲率は、閉位置と比較して大きくしてもよい。開位置にあるとき、ロック解除領域におけるロック構成要素の曲率も、閉位置と比較して小さくしてもよい。
【００１２】
ロック構成要素は、少なくとも本質的に環状であってもよい。この場合、ロック構成要素は、少なくとも本質的に楕円形であってもよい。さらに、１つのロック解除領域が、ロック構成要素の長径の頂点にそれぞれ配置されてもよく、１つのロック領域が、ロック構成要素の短径の頂点にそれぞれ配置されてもよい。
【００１３】
あるいは、ロック構成要素は円形であってもよい。さらなる代替において、ロック構成要素は、弧状であってもよい。ロック構成要素はさらに、ハウジング内でプラグインコネクタ部の長手方向軸に対して同心に配置されてもよい。あるいは、ロック構成要素は、ハウジング内でプラグインコネクタ部の長手方向軸に対して偏心して配置されてもよい。
【００１４】
プラグインコネクタ部のハウジングは、少なくとも本質的に、径方向においてロック構成要素を囲んでもよい。さらに、プラグインコネクタ部のハウジングは、ロック構成要素のロック解除領域の近くにハウジング開口部を有してもよく、これにより、ロック解除領域に径方向内向きの力を加えるための工具の挿入が可能になる。この場合、ハウジングは、ロック解除領域の近くに複数の開口部を有してもよく、それにより、異なる方向からの工具の挿入が可能になる。
【００１５】
代替的に、プラグインコネクタ部のハウジングは、ロック解除領域の近くでロック構成要素を不完全に囲んでもよい。ハウジングは、工具を使わずに手でロック解除領域に径方向内向きの力を加えることが可能であるように設計されてもよい。この場合、閉位置にあるとき、ロック構成要素は、ロック解除領域の近くのハウジングの１つ以上の開口部を通ってハウジングの外側を越えて突出してもよい。
【００１６】
相手側コネクタ部と係合する領域において、プラグインコネクタ部のハウジングは、プラグイン方向に平行な長手方向軸の周りに少なくとも本質的に回転対称の形状を有してもよい。
【００１７】
プラグインコネクタ部のハウジングとロック構成要素とは、互いに異なる材料を含んでもよい。この場合、プラグインコネクタ部のハウジングは、ロック構成要素よりも剛性の高い材料を含んでもよい。プラグインコネクタ部のハウジングは、プラスチックを含んでもよい。ロック構成要素は、ハウジングよりも剛性の低いプラスチックおよび／または可撓性金属を含んでもよい。
【００１８】
別の態様においては、プラグインコネクタが提示される。プラグインコネクタは、ここに示すタイプのプラグインコネクタ部と、プラグインコネクタ部と可逆的に接続してプラグイン接続を形成可能である相手側コネクタ部と、を備える。
【００１９】
相手側コネクタ部のロック輪郭は、環状溝を備えてもよい。ロック輪郭は、さらに突出領域を有してもよい。
【００２０】
相手側コネクタ部のロック輪郭は、傾斜領域を有してもよい。傾斜領域は、ロック輪郭の突出領域に配置されてもよい。
【００２１】
プラグインコネクタ部のハウジングと係合する領域において、相手側コネクタ部は、プラグイン方向に平行な長手方向軸の周りに少なくとも本質的に回転対称の形状を有してもよい。
【００２２】
本発明の他の特徴、目的、および利点は、詳細な説明および図面によって示される。
【図面の簡単な説明】
【００２３】
【図１】例示的な実施形態によるプラグインコネクタ部の斜視図の概略図である。
【図２Ａ】ロック構成要素が閉位置にあるときのプラグインコネクタ部の断面図の概略図である。
【図２Ｂ】ロック構成要素が開位置にあるときのプラグインコネクタ部の断面図の概略図である。
【図３Ａ】さらなる例示的な実施形態による、ロック構成要素が閉位置にあるときのプラグインコネクタ部の断面図の概略図である。
【図３Ｂ】さらなる例示的な実施形態による、ロック構成要素が開位置にあるときのプラグインコネクタ部の断面図の概略図である。
【図４】一例による相手側コネクタ部の斜視図の概略図である。
【図５】例示的な実施形態によるプラグインコネクタの側面図の概略図である。
【図６】工具が異なる方向からハウジングに挿入された、さらなる例示的な実施形態による２つのプラグインコネクタの斜視図の概略図である。
【発明を実施するための形態】
【００２４】
図１はプラグインコネクタ部１００の斜視図の概略図を示す。プラグインコネクタ部１００は、相手側コネクタ部とのプラグイン接続を形成するために設けられる。プラグインコネクタ部１００は、相手側コネクタ部と係合するハウジング領域１１２を有するハウジング１１０を備える。図示の例においては、相手側コネクタ部と係合するハウジング領域１１２は、プラグイン軸Ｓに平行なプラグインコネクタ部１００の長手方向軸の周りに回転対称に設計される。ハウジング１１０は、プラグインコネクタ部１００の電気的接触領域１３０を取り囲み、電気的接触領域１３０は、相手側コネクタ部の相手側接触領域と接触するために設けられる。図示の例においては、ハウジング１１０は、複数のハウジング開口部１１４も備える。
【００２５】
プラグインコネクタ部１００は、相手側コネクタ部へのプラグイン接続を可逆的にロックするために、ハウジング１１０とは別個に形成されたロック構成要素１２０をさらに備える。この目的のために、ロック構成要素１２０は、複数のロック領域１２２と複数のロック解除領域１２４とを備える。ロック構成要素１２０はまた、ロック領域１２２に傾斜外形１２６を有する。
【００２６】
プラグインコネクタ部１００は、以下により詳細に説明されるように、相手側コネクタ部、例えば図４に示されるような相手側コネクタ部４００、とのプラグイン接続を形成するように設計される。この目的のために、ロック構成要素１２０は、弾性変形可能であり、閉位置で予圧が与えられる。機械的力が、プラグインコネクタ部１００の長手方向軸に対して径方向内向きを指す方向に、ロック解除領域１２４の一方または両方に作用すると、ロック構成要素１２０は、湾曲したロック構成要素１２０がロック領域１２２で広げられるように弾性変形させられ、したがって、開位置へ移行する。例えば、図４の相手側コネクタ部４００について、プラグイン接続が確立されかつロック構成要素１２０が閉位置にあるとき、各ロック領域１２２は、相手側コネクタ部４００の環状溝４２０内に突出する。このようにして、相手側コネクタ部４００は接続位置に保持され、プラグインコネクタは接続位置にロックされる。一方、例えば、ロック解除領域１２４の一方または両方に作用する力の結果として、ロック構成要素１２０がロック領域１２２で拡張される場合、ロック領域１２２は、相手側コネクタ部４００の環状溝４２０から外に移動させられ、それにより、プラグイン接続が分離可能にロック解除される。
【００２７】
ロック領域１２２におけるロック構成要素１２０の傾斜外形１２６は、ロック構成要素１２０が、ロック構成要素１２０を開くために１つ以上のロック解除領域１２４に力を加えることを最初に必要とされないよう、プラグイン接続の形成を補助する。特に、傾斜外形１２６は、プラグイン接続が形成されるとき、相手側コネクタ部のロック輪郭によってロック構成要素１２０を曲げることを促進する。
【００２８】
図示の例においては、ロック構成要素１２０は、環状、特に本質的に楕円形として具体化される。この場合、ロック解除領域１２４はそれぞれ、楕円形の長径の頂点に位置する一方で、ロック領域１２２はそれぞれ、楕円形の短径の頂点に位置する。ロック構成要素１２０はまた、プラグインコネクタ部１００の長手方向軸に対して同心に配置される。プラグインコネクタ部１００は、ハウジング開口部１１４がそれぞれロック構成要素１２０のロック解除領域１２４の１つの近くに位置するように、ハウジング１１０内にさらに配置される。
【００２９】
図１に示す例においては、ハウジング１１０は、径方向においてロック構成要素１２０を囲む。このようにして、ロック構成要素１２０のロック解除領域１２４へ工具を使わずに手でアクセスすることが防止され、例えば、プラグイン接続の不注意による解放または意図しない解放が回避される。同時に、ロック構成要素１２０は、天候または紫外線放射などの外部の影響から効果的に保護される。これは、弾性プラスチックまたは可撓性金属などの、ロック構成要素１２０に使用可能な多くの弾性材料の耐用年数を効果的に増加させる。
【００３０】
同時に、ハウジング開口部１１４は、プラグインコネクタ部１００の長手方向軸に対してほぼ接線方向に、工具、例えば、ドライバーを挿入して、ロック解除領域１２４に径方向内向きの力を加えることを可能にする。いくつかの例においては、ロック構成要素１２０は、ロック解除領域１２４の１つのみに力を加えることによって、設けられた相手側コネクタ部４００に対して十分に強く変形させられて、すぐに開位置へ到達するように形成される。
【００３１】
ハウジング１１０はまた、軸方向においてロック構成要素１２０を部分的に囲む。これにより、ロック構成要素１２０のハウジングからの脱落が防止され、したがって特にロック構成要素１２０の紛失が防止される。他の例においては、ロック構成要素１２０は、他の手段によって損失から守られる。例えば、ロック構成要素１２０は、１つ以上の接続点でハウジング１１０に固定され得る。
【００３２】
ハウジング１１０とロック構成要素１２０とが別個に形成されるとすると、プラグインコネクタ部１００には、ハウジング１１０とロック部材１２０とに異なる材料を使用することが好ましい。特に、ハウジング１１０とロック構成要素１２０との異なる機能要件に対応して、ロック構成要素１２０よりも剛性が高く耐候性のある材料をハウジング１１０に使用することが可能である。同時に、上述のように、ロック構成要素１２０の耐用年数もまた、ハウジング１１０内でのロック構成要素１２０の配置によって増加する。これは特に、典型的には天候に敏感な弾性材料がロック構成要素１２０に使用されるときに当てはまる。
【００３３】
本発明は、相手側コネクタ部と係合する回転対称な領域１１２と、中心に配置された閉じた環状、特に楕円形のロック構成要素１２０と、を有するプラグインコネクタ部１００の例を用いて上で説明された。しかしながら、説明された利点は、これとは異なるプラグインコネクタ部１００の実施形態によっても達成され得ることは言うまでもない。具体的には、プラグインコネクタ部１００の接続領域は、他の例においては回転対称ではない。さらに、さらなる例においては、ロック構成要素１２０は円形である。さらに別の例においては、ロック構成要素１２０は、弧状であり、それにより、ロック構成要素はリングの一部、例えば楕円形の一部を表す。この場合、ロック構成要素１２０は、例えば、ロック解除領域およびロック領域のタイプの領域のうちの少なくとも１つについて、２つのロック解除領域１２４および２つのロック領域１２２から逸脱するものを有する。これらの例に共通するのは、ロック構成要素が、少なくとも１つのロック解除領域と少なくとも１つのロック領域とを有する少なくとも１つの湾曲したセクションを有することと、ロック解除領域に内向きの力が加わった結果として、ロック構成要素の曲率は、１つ以上のロック領域が、設けられた相手側コネクタ部４００に対して閉位置に対応する予圧位置から開位置に対応する位置へ弾性的に移動させられるように変更されるように設計されることと、である。
【００３４】
図２Ａは、プラグインコネクタ部１００の断面図を示す。断面は、ロック構成要素１２０の領域にある。図１と同じ参照符号は、図１に関連して説明したものと同じ特徴を示す。
【００３５】
図２Ａは、ロック構成要素１２０が閉位置にあるときのプラグインコネクタ部１００を示す。この場合、ロック構成要素１２０は、ロック領域１２２よりもロック解除領域１２４においてより大きな曲率を有する。さらに、ロック構成要素１２０は、ロック領域１２２においてプラグインコネクタ部１００の長手方向軸のより近くに延在する。この場合、各ロック領域１２２と長手方向軸との間の距離は、設けられた相手側コネクタ部４００のロック輪郭４２０の外半径よりも小さい。
【００３６】
図２Ｂは、プラグインコネクタ部１００の別の断面図を示す。断面は図２Ａと同じである。図２Ａとは対照的に、図２Ｂは、ロック構成要素１２０が開位置にあるときのプラグインコネクタ部１００を示す。
【００３７】
工具Ｗ、例えばドライバーは、ハウジング開口部１１４の１つを通してハウジング１１０に挿入される。この場合、径方向内向きの力が対応するロック解除領域１２４に加えられる。したがって、ハウジング１１０の形状が、他の場合には脱出してしまうロック構成要素１２０が脱出することを防止することを補助するので、ロック構成要素１２０は、ロック領域１２２において拡張する。
【００３８】
図３は、別の例によるプラグインコネクタ部３００の断面図を示す。以下で特に言及しない限り、プラグインコネクタ部１００に関する前述の説明は、プラグインコネクタ部３００にも同等に適用される。プラグインコネクタ部３００とのプラグイン接続を形成した相手側コネクタ部４００も示される。
【００３９】
プラグインコネクタ部３００は、ハウジング３１０と、少なくとも本質的にハウジング３１０内に配置されたロック構成要素３２０と、を備える。ハウジング３１０は、ハウジング開口部３１４を有し、図示の閉位置にあるとき、ロック構成要素３２０がハウジング開口部３１４を通って部分的に突出する。特に、ロック構成要素３２０の操作領域３２８は、ハウジング開口部３１４を通って、プラグインコネクタ部３００の外側を通って、外向きに延びる。図示の閉位置にあるとき、ロック領域３２２は、相手側コネクタ部４００のロック輪郭４２０、例えば環状溝内にも延在する。
【００４０】
図１のプラグインコネクタ部１００とは異なり、プラグインコネクタ部３００においては、ロック構成要素３２０は、径方向においてハウジング３１０によって完全に囲まれない。したがって、プラグインコネクタ部３００は、工具なしでの手での操作を可能にする。特に、ロック構成要素３２０は、操作領域３２８の少なくとも１つを手で押すことによって開くことが可能である。
【００４１】
図３Ｂは、プラグインコネクタ部３００のさらなる断面図を示す。断面は図３Ａと同じである。図３Ｂにおいては、ロック構成要素３２０は、図３Ａに示される位置とは異なり、開位置にある。この場合、両方の操作領域３２８は径方向内向きに押され、その結果、ロック構成要素３２０は、ロック領域３２２において可能な限り拡張される。図３Ｂから分かるように、図３Ａの位置とは異なり、ロック構成要素３２０のどの領域も、相手側コネクタ部４００のロック輪郭４２０内に延在しない。
【００４２】
プラグインコネクタ部３００は、プラグインコネクタ部１００と比較して低減された、意図しない操作または不注意による操作に対する保護を提供する。いくつかの例においては、ロック構成要素３２０の弾性部分の天候からの保護は、プラグインコネクタ部１００における保護よりも低い。それにもかかわらず、プラグインコネクタ部３００においてさえ、ハウジングは依然としてロック構成要素に対する広範な保護を提供すると同時に、操作を容易にし、特に工具なしで操作がよりシンプルである。
【００４３】
図４は、相手側コネクタ部４００の斜視図の概略図を示す。相手側コネクタ部４００は、例えば、上述のようにプラグインコネクタ部１００、３００とのプラグイン接続を形成するように設計される。この目的のために、相手側コネクタ部４００は、プラグインコネクタ部のハウジングと係合する領域４１０と、プラグイン接続をロックするためのロック輪郭４２０と、を有する。この目的のために、ロック輪郭４２０は、プラグインコネクタ部のロック構成要素がロック輪郭４２０と係合するように設計される。相手側コネクタ部４００は、プラグイン接続が確立されたときに、適切な接触エリア、例えばプラグインコネクタ部１００の接触エリア１３０と接触するための相手側電気的接触エリア４３０をさらに備える。
【００４４】
図示の例においては、プラグインコネクタ部のハウジングと係合する領域４１０は、ロック輪郭４２０とともに回転対称に形成される。これにより、例えば、接続されたプラグインコネクタ部が、プラグイン接続が確立されたときに、プラグイン接続の長手方向軸の周りで互いに対して回転可能になる。相手側コネクタ部４００はまた、ロック輪郭４２０の領域に傾斜領域４２２を有する。プラグインコネクタ部１００の傾斜外形１２６について説明したのと同様に、傾斜領域４２２は、プラグイン接続が形成されるときに、ロック輪郭４２０によるロック構成要素の拡張を容易にする。
【００４５】
図５は、プラグインコネクタ５００の側面図の概略図を示す。プラグインコネクタ５００は、図３Ａおよび図３Ｂに関連して説明されたようなプラグインコネクタ部３００と、図４に関連して説明されたような相手側コネクタ部４００と、を備える。図５は、接続位置にあるプラグインコネクタ５００を示す。この場合、ハウジングの外側を超えて突出する操作領域３２８から分かるように、プラグインコネクタ部３００のロック構成要素も閉位置にある。
【００４６】
図６は、別の例による２つのプラグインコネクタ５００’の斜視図の概略図を示す。プラグインコネクタ５００とは異なり、プラグインコネクタ５００’は、相手側コネクタ部４００に加えて、図１に関連して説明したプラグインコネクタ部１００をそれぞれ備える。加えて、示された例のそれぞれにおいてはドライバーである工具Ｗは、プラグインコネクタ５００’のそれぞれにおけるハウジング開口部１１４に挿入される。その結果、両方のプラグインコネクタ５００’において、プラグインコネクタ部１００は、図２Ｂに関連して説明したように開位置にある。図示されたハウジング開口部１１４および工具Ｗの挿入可能な方向について、付加的にまたは代替的に、プラグインコネクタ５００の他の例は、さらなるまたは異なる方向からの工具の挿入を可能にする、さらなるまたは異なるハウジング開口部１１４を有する。
【符号の説明】
【００４７】
１００、３００  プラグインコネクタ部
１１０、３１０  ハウジング
１１２  相手側コネクタ部と係合するハウジング領域
１１４、３１４  ハウジング開口部
１２０、３２０  ロック構成要素
１２２、３２２  ロック領域
１２４、３２４  ロック解除領域
１２６  ロック構成要素の傾斜外形
１３０  接触エリア
３２８  操作領域
４００  相手側コネクタ部
４１０  プラグインコネクタ部のハウジングと係合する領域
４２０  ロック輪郭
４２２  傾斜領域
４３０  相手側接触エリア
５００、５００’  プラグインコネクタ
Ｓ  プラグイン方向
Ｗ  工具
【図１】
2021501970.tif 000003
【図２Ａ】
2021501970.tif 000004
【図２Ｂ】
2021501970.tif 000005
【図３Ａ】
2021501970.tif 000006
【図３Ｂ】
2021501970.tif 000007
【図４】
2021501970.tif 000008
【図５】
2021501970.tif 000009
【図６】
2021501970.tif 000010
【国際調査報告】
2021501970.tif 000011
2021501970.tif 000012
2021501970.tif 000013
2021501970.tif 000014